(57)【要約】【課題】導入した換気用の外気を熱交換器の風上側に導出できるようにして、冷暖房運転時の性能を低下させることなく換気運転を行なえるようにした空気調和機を提供する。【解決手段】遠心ファン８を、吸込口と吹出口とを結ぶ空気通路の他側壁７ｂに設けられた支軸部ｓにより回転自在に軸支されると共に、クロスフローファン６の他側から延伸して前記空気通路の他側壁７ｂを貫通した回転軸６ｂに連結し、前記他側壁７ｂに、前記遠心ファン８を収容すると共に、外気を導入する外気導入孔９ａと、熱交換器５の風上側を臨ませた外気導出孔９ｂとを備えたファンケーシング９を取り付けた。【選択図】  図５
2004156880.tif 000002
【特許請求の範囲】
【請求項１】
前部を開放したベースと、同ベースに装着され、吸込口および吹出口を上下部に備えた前面パネルと、前記吸込口と前記吹出口とを結ぶ空気通路に設けられ、前記吸込口からの吸込空気を熱交換する熱交換器と、同熱交換器により熱交換された空気を前記吹出口へ送風するクロスフローファンと、同クロスフローファンの一側に対応して、前記空気通路の一側壁を隔てるように前記ベースに形成されたモータ収容部と、同モータ収容部に収容され、前記空気通路の一側壁に設けられた挿通孔を挿通する前記クロスフローファンの駆動軸に連結されたファンモータと、前記空気通路の他側壁に設けられた支軸部により回転自在に軸支されると共に、前記クロスフローファンの他側から延伸して前記空気通路の他側壁を貫通した回転軸に連結された遠心ファンと、同遠心ファンを収容して前記空気通路の他側壁に取り付けられ、外気を導入する外気導入孔と、前記熱交換器の風上側を臨ませた外気導出孔とを備えたファンケーシングとで構成されてなることを特徴とする空気調和機。
【請求項２】
前記ファンケーシングに、前記外気導入孔を開閉する開閉装置を設け、換気をしない運転時には、前記開閉装置により前記外気導入孔を閉塞するようにし、換気をする運転時には、前記開閉装置により前記外気導入孔を開放するようにしてなることを特徴とする請求項１に記載の空気調和機。
【請求項３】
前記開閉装置が、枢支部を備えて回動自在に枢支される開閉扉と、同開閉扉を駆動する駆動モータとからなることを特徴とする請求項２に記載の空気調和機。
【請求項４】
前記駆動モータがステッピングモータからなり、前記開閉扉を任意の回動位置まで駆動できるようにしてなることを特徴とする請求項３に記載の空気調和機。
【請求項５】
前記ファンケーシングの外気導出孔に、エアフィルタが着脱可能に装着されてなることを特徴とする請求項１に記載の空気調和機。
【発明の詳細な説明】
【０００１】
【発明の属する技術分野】
本発明は、空気調和機に係わり、より詳細には、導入した換気用の外気を熱交換器の風上側に導出できるようにした構造に関する。
【０００２】
【従来の技術】
従来の空気調和機には、被空調室の空気を換気できるようにしたものとして、ファン（クロスフローファン）により形成される送風路の上流に位置する部分に換気用孔を設けるとともに、この換気用孔を開閉する開閉扉を設けたことを特徴とした事例があった（例えば、特許文献１参照。）。
【０００３】
しかしながら、上記の事例においては、前記開閉扉が開いた状態では、空調時の室内からの送風路を遮りつつ、前記ファン（クロスフローファン）の静圧動作も加わって、前記換気用孔から外気を取り込むように作動することから、この外気が前記室内からの送風路を遮るように取り込まれるので、特許文献１の第１図で示す吸込口孔からの空気量は減少することになり、熱交換器によって熱交換されたのち吹出口に送出される空気流量が減少するため、例えば冷暖房運転時に空気調和機としての性能が低下してしまうという問題点を有していた。
【０００４】
【特許文献１】
特開平３ー８７５３３号公報（第１頁および第３頁、第１図）
【０００５】
【発明が解決しようとする課題】
本発明においては、上記の問題点に鑑み、導入した換気用の外気を熱交換器の風上側に導出できるようにして、冷暖房運転時の性能を低下させることなく換気運転を行なえるようにした空気調和機を提供することを目的とする。
【０００６】
【課題を解決するための手段】
本発明は、上記課題を解決するため、前部を開放したベースと、同ベースに装着され、吸込口および吹出口を上下部に備えた前面パネルと、前記吸込口と前記吹出口とを結ぶ空気通路に設けられ、前記吸込口からの吸込空気を熱交換する熱交換器と、同熱交換器により熱交換された空気を前記吹出口へ送風するクロスフローファンと、同クロスフローファンの一側に対応して、前記空気通路の一側壁を隔てるように前記ベースに形成されたモータ収容部と、同モータ収容部に収容され、前記空気通路の一側壁に設けられた挿通孔を挿通する前記クロスフローファンの駆動軸に連結されたファンモータと、前記空気通路の他側壁に設けられた支軸部により回転自在に軸支されると共に、前記クロスフローファンの他側から延伸して前記空気通路の他側壁を貫通した回転軸に連結された遠心ファンと、同遠心ファンを収容して前記空気通路の他側壁に取り付けられ、外気を導入する外気導入孔と、前記熱交換器の風上側を臨ませた外気導出孔とを備えたファンケーシングとで構成されてなる構成となっている。
【０００７】
また、前記ファンケーシングに、前記外気導入孔を開閉する開閉装置を設け、換気をしない運転時には、前記開閉装置により前記外気導入孔を閉塞するようにし、換気をする運転時には、前記開閉装置により前記外気導入孔を開放するようにしてなる構成となっている。
【０００８】
また、前記開閉装置が、枢支部を備えて回動自在に枢支される開閉扉と、同開閉扉を駆動する駆動モータとからなる構成となっている。
【０００９】
また、前記駆動モータがステッピングモータからなり、前記開閉扉を任意の回動位置まで駆動できるようにしてなる構成となっている。
【００１０】
更に、前記ファンケーシングの外気導出孔に、エアフィルタが着脱可能に装着されてなる構成となっている。
【００１１】
【発明の実施の形態】
以下、本発明の実施の形態を図面に基づいた実施例として詳細に説明する。
図１は本発明による空気調和機の断面図であり、図２は本発明による空気調和機の説明図で、（Ａ）は外観斜視図、（Ｂ）は前面パネルを取り外した状態の斜視図、（Ｃ）はファンケーシングの外気導出孔に装着されるエアフィルタの斜視図、（Ｄ）は（Ｃ）で示すａ−ａ断面図であり、図３は本発明による空気調和機の換気用のファンケーシングの取付状態を示す説明図で、（Ａ）は前面側からの斜視図、（Ｂ）は背面側からの斜視図であり、図４はファンケーシングの一部を取り外した状態を示す説明図で、（Ａ）は背面側からの斜視図、（Ｂ）は前面側からの斜視図であり、図５は本発明による空気調和機の要部説明図で、（Ａ）はファンケーシングを取り外した状態を示す斜視図、（Ｂ）はファンケーシングを取り外した状態を示す正面図、（Ｃ）はファンケーシングを取り付けた状態を示す正面図であり、図６はファンケーシングの説明図で、（Ａ）は外気導入孔を開放した状態を示す斜視図、（Ｂ）は外気導入孔を閉塞した状態を示す斜視図である。
【００１２】
本発明による空気調和機は、図で示すように、前部を開放したベース１に、吸込口２を備えた上面パネル４ａと、吹出口３を備えた下面パネル４ｃとで構成された前面パネル４が装着されている。
【００１３】
前記吸込口２には吸込グリル４ｂが設けられており、また、同吸込口２と前記吹出口３とを結ぶ空気通路には、前記吸込口２から吸い込まれた吸込空気を熱交換する熱交換器５と、熱交換された空気を前記吹出口３に送出するためのクロスフローファン６とが設けられている。
【００１４】
前記クロスフローファン６の一側には、図２（Ｂ）と、図５（Ｂ）および図５（Ｃ）とで示すように、前記空気通路の一側壁７ａを介してモータ収容部１ａが形成され、前記一側壁７ａに設けられた挿通孔を挿通した前記クロスフローファン６の駆動軸６ａにファンモータＭが連結されている。
【００１５】
そして、外気を導入して前記熱交換器５の風上側に導出することにより、被空気調和室の換気をするための遠心ファン８が、前記空気通路の他側壁７ｂに設けられた支軸部ｓにより回転自在に軸支されると共に、前記クロスフローファン６の他側から延伸して前記他側壁７ｂを貫通した回転軸６ｂに連結されている。
【００１６】
前記遠心ファン８は、前記空気通路の他側壁７ｂに取り付けられ、外気を導入する外気導入孔９ａと、前記熱交換器５の風上側を臨ませた外気導出孔９ｂとを備えたファンケーシング９に収容されている。
【００１７  】
前記ファンケーシング９の外気導入孔９ａには、図示はしないが、被空調室の外部から外気を導入するためのダクトが接続されている。
【００１８】
前記ファンケーシング９の外気導出孔９ｂには、図２（Ｂ）と、図５（Ｂ）および図５（Ｃ）とで示すようにエアフィルタ１１が着脱可能に装着されており、前記外気導入孔９ａから導入した外気を前記熱交換器５の風上側に向けて導出し、前記エアフィルタ１１を通過させることにより塵埃を除去した清浄空気を前記吹出口３に送出できるようになっている。
【００１９】
前記エアフィルタ１１は、図２（Ｃ）および図２（Ｄ）で示すように、枠部１１ａ  および同枠部１１ａ  に連続形成された網部１１ｂ  からなる構成となっており、前記枠部１１ａ  の内周面を前記外気導出孔９ｂの周縁部に係合させることによって装着できる構成になっている。
【００２０】
ここで、前記遠心ファン８および前記ファンケーシング９を組み付ける手順について説明する。
図５（Ａ）乃至図５（Ｃ）で示すように、前記遠心ファン８を、前記クロスフローファン６の他側から延伸して、前記空気通路の他側壁７ｂを貫通させた前記回転軸６ｂに連結する。
【００２１】
次に、前記ファンケーシング９を構成し、前記外気導出孔９ｂと、前記外気導入孔９ａに連通する連通孔９ｅとを備えた第一ケーシング９ｄが、図４（Ａ）および図４（Ｂ）で示すように、前記遠心ファン８をカバーするように前記空気通路の他側壁７ｂに組み付けられ、前記連通孔９ｅをカバーすると共に前記外気導入孔９ａを備えた第二ケーシング９ｃが、図３（Ａ）および図３（Ｂ）で示すように順次組み付けられる。
【００２２】
前記第二ケーシング９ｃには、図６（Ａ）および図６（Ｂ）で示すように、枢支部１０ａ  を備えて回動自在に枢支される開閉扉１０ｂ  と、同開閉扉１０ｂ  を駆動する駆動モータ１０ｃ  とで構成された前記外気導入孔９ａを開閉する開閉装置が設けられている。
【００２３】
これにより、換気をする運転時には、図６（Ａ）で示す矢印ｂのように、前記開閉扉１０ｂ  を回動させて前記外気導入孔９ａを開放することにより、矢印ａで示すように、前記外気導入孔９ａから導入された外気を前記熱交換器５の風上側に向けて導出できるようになる。
【００２４】
また、換気をしない運転時には、図６（Ｂ）で示すように、前記開閉装置により前記外気導入孔９ａを閉塞することによって前記外気導入孔９ａから外気を導入することがなくなる。
【００２５】
この場合、前記遠心ファン８により、例えば前記第一ケーシング９ｄと前記第二ケーシング９ｃとの隙間から矢印ａ’のように被空調室内の空気を吸い込み、且つ前記外気導出孔９ｂから導出することによって、室内気を循環させることができるようになる。
【００２６】
なお、前記開閉扉１０ｂ  を駆動する駆動モータ１０ｃ  はステッピングモータからなる構成にして、換気をする運転時には、前記開閉扉１０ｂ  を任意の回動位置まで駆動することにより、前記外気導入孔９ａから導入される外気の流量を調節できるようになっている。
【００２７】
【発明の効果】
以上説明したように、本発明によれば、導入した換気用の外気を熱交換器の風上側に導出できるようにして、冷暖房運転時の性能を低下させることなく換気運転を行なえるようにした空気調和機となる。
【図面の簡単な説明】
【図１】本発明による空気調和機の断面図である。
【図２】本発明による空気調和機の説明図で、（Ａ）は外観斜視図であり、（Ｂ）は前面パネルを取り外した状態の斜視図であり、（Ｃ）はファンケーシングの外気導出孔に装着されるエアフィルタの斜視図であり、（Ｄ）は（Ｃ）で示すａ−ａ断面図である。
【図３】本発明による空気調和機の換気用のファンケーシングの取付状態を示す説明図で、（Ａ）は前面側からの斜視図であり、（Ｂ）は背面側からの斜視図である。
【図４】本発明による空気調和機のファンケーシングの一部を取り外した状態を示す説明図で、（Ａ）は背面側からの斜視図であり、（Ｂ）は前面側からの斜視図である。
【図５】本発明による空気調和機の要部説明図で、（Ａ）はファンケーシングを取り外した状態を示す斜視図であり、（Ｂ）はファンケーシングを取り外した状態を示す正面図であり、（Ｃ）はファンケーシングを取り付けた状態を示す正面図である。
【図６】本発明による空気調和機のファンケーシングの説明図で、（Ａ）は外気導入孔を開放した状態を示す斜視図であり、（Ｂ）は外気導入孔を閉塞した状態を示す斜視図である。
【符号の説明】
１  ベース
１ａ  モータ収容部
Ｍ  ファンモータ
２  吸込口
３  吹出口
４  前面パネル
４ａ  上面パネル
４ｂ  吸込グリル
４ｃ  下面パネル
５  熱交換器
６  クロスフローファン
６ａ  駆動軸
６ｂ  回転軸
７ａ  一側壁
７ｂ  他側壁
８  遠心ファン
９  ファンケーシング
９ａ  外気導入孔
９ｂ  外気導出孔
９ｃ  第二ケーシング
９ｄ  第一ケーシング
９ｅ  連通孔
１０ａ  枢支部
１０ｂ  開閉扉
１０ｃ  駆動モータ
１１  エアフィルタ
１１ａ  枠部
１１ｂ  網部
【図１】
2004156880.tif 000003
【図２】
2004156880.tif 000004
【図３】
2004156880.tif 000005
【図４】
2004156880.tif 000006
【図５】
2004156880.tif 000007
【図６】
2004156880.tif 000008